(57)【要約】 【課題】  浴室形態を自由に変更する事が出来る浴室ユニットを提供する。【解決手段】  平面視で互いに向かい合う一対の短辺部および長辺部とを有する浴槽と、洗い場を形成するため平面視で互いに向かい合う一対の短辺部および長辺部を有する洗い場床部と、を備えた浴室ユニットであって、前記浴槽または前記洗い場床部のいずれか一方の長辺部と前記浴槽または洗い場床部の他方の短辺部とを接続することによって略L字状に形成されることを特徴とする浴室ユニットを提供する。【選択図】  図１
2008255562.tif 000002
【特許請求の範囲】
【請求項１】
平面視で互いに向かい合う一対の短辺部および長辺部とを有する浴槽と、洗い場を形成するため平面視で互いに向かい合う一対の短辺部および長辺部を有する洗い場床部と、を備えた浴室ユニットであって、前記浴槽または前記洗い場床部のいずれか一方の長辺部と前記浴槽または洗い場床部の他方の短辺部とを接続することによって略Ｌ字状に形成されることを特徴とする浴室ユニット。
【請求項２】
前記浴槽の外縁において、前記洗い場床部との接続部以外は、上方に立ち上がるように形成された壁パネルによって囲まれていることを特徴とする請求項１の浴室ユニット。
【請求項３】
前記浴槽の長辺部と前記洗い場床部の短辺部とが接続される浴室ユニットにおいて、浴室内の出入を行うための扉が、前記洗い場床部における前記浴槽と接続される短辺部とは異なる短辺部、または前記洗い場床部における一対の長辺部のうち、前記浴槽長辺部の中央側に配置される長辺部に取り付けられることを特徴とする請求項１記載の浴室ユニット。
【請求項４】
前記浴槽の短辺部と前記洗い場床部の長辺部とが接続される浴室ユニットにおいて、浴室内の出入を行うための扉が、前記洗い場床部における前記浴槽と接続される長辺部、または前記洗い場床部における一対の短辺部のうち、前記浴槽が取り付けられる接続部から遠くに離れた側の短辺部に取り付けられることを特徴とする請求項１記載の浴室ユニット。
【請求項５】
前記浴槽側の天井もしくは壁面に浴室乾燥機が取り付けられていることを特徴とする請求項１乃至４に記載の浴室ユニット。
【請求項６】
前記浴槽における前記洗い場床部との接続部に、水栓本体を取り付けたことを特徴とする請求項１乃至５いずれかに記載の浴室ユニット。
【発明の詳細な説明】
【技術分野】
【０００１】
本発明は浴室ユニットに関する。
【背景技術】
【０００２】
従来の浴室ユニットとしては、例えば、特許文献１や特許文献２に記載されているように、洗い場側防水パンと浴槽側防水パンとの継目方向の寸法が異なるものが存在している。
【０００３】
【特許文献１】実開平７−３２１１５号公報
【特許文献２】特開平９−１２５７１５号公報
【発明の開示】
【発明が解決しようとする課題】
【０００４】
しかしながら、上述した従来の浴室ユニットにおいては、柱型やパイプスペース・隣接空間との調整等の為に洗い場や浴槽を異形にする事が出来るが、浴槽側の長辺と洗い場側の長辺が接している為、根本的な浴室のレイアウトは変わらず、設計の自由度が小さいという問題点があった。
【０００５】
そこで、本発明は、上述した従来技術の問題を解決するためになされたものであり、浴室形態を自由に変更する事が出来る浴室ユニットを提供することを目的としている。
【課題を解決するための手段】
【０００６】
上記の目的を達成するために、本発明は、平面視で互いに向かい合う一対の短辺部および長辺部とを有する浴槽と、洗い場を形成するため平面視で互いに向かい合う一対の短辺部および長辺部を有する洗い場床部と、を備えた浴室ユニットであって、前記浴槽または前記洗い場床部のいずれか一方の長辺部と前記浴槽または洗い場床部の他方の短辺部とを接続することによって略Ｌ字状に形成されることを特徴としている。
このように構成された本発明の浴室ユニットにおいては、浴室形態を自由に変更する事が出来る為、設計の自由度を増す事が可能である。
【発明の効果】
【０００７】
本発明の浴室ユニットによれば、浴室形態を自由に変更する事が出来る為、設計の自由度を増す事が可能である。
【発明を実施するための最良の形態】
【０００８】
以下、添付図面を参照して本発明の浴室ユニットの実施形態について説明する。図１は、本発明の第１実施形態による浴室を示す平面図である。
図１は平面視で互いに向かい合う一対の短辺部および長辺部とを有する浴槽１〜４と、洗い場を形成するため平面視で互いに向かい合う一対の短辺部および長辺部を有する洗い場床部５〜８とで形成されている。図１（ａ）及び図１（ｂ）は前記浴槽１〜２の短辺部と前記洗い場床部５〜６の長辺部とを接続することによって略Ｌ字状に形成されている。図１（ｃ）及び図１（ｄ）は前記浴槽３〜４の長辺部と前記洗い場床部７〜８の短辺部とを接続することによって略Ｌ字状に形成されている。
【０００９】
上述した本実施形態による浴室ユニットによれば、浴室形態を建築に合わせて自由に変更する事が出来、スペースの有効利用が可能となる。また、従来の浴室では、設置スペースの面積によって浴室の大きさが決定し、それに伴なって浴槽の大きさ、洗い場の面積などが既に決められていた。しかし、本発明では、お客様の生活スタイルに合わせて、浴槽を大きくしたり、洗い場の面積を変更したりすることが可能となる。
【００１０】
つぎに、本発明の第２実施形態による浴室ユニットについて説明する。
図２は、本実施形態の浴室ユニットの平面図である。図２の９〜１６はてすりを示している。図２は前記浴槽の外縁において、前記洗い場床部との接続部以外は、上方に立ち上がるように形成された壁パネルによって囲まれている。以上のことが上述した第１実施形態の浴室ユニットと異なっており、その他の構成については、第１実施形態の構成と同一である為、これら同一の構成については説明を省略する。
【００１１】
図２（ａ）及び図２（ｂ）は実施形態１の図１（ａ）及び図１（ｂ）と同一であり、９〜１２の手すりは前記浴槽の長辺部の前記洗い場との接続部側に設けられており、浴槽出入りを補助するために設置されている。また、図２（ｃ）及び図２（ｄ）は実施形態１の図１（ｃ）及び図１（ｄ）と同一であり、図２の１３〜１６の手すりは前記洗い場の長辺部の前記浴槽との接続部側に設けられている。
【００１２】
上述した本実施形態による浴室ユニットによれば、浴槽に入る際の間口が小さい為、左右両側の壁を利用しながら浴槽に出入り出来ると共に、両側に手すりの設置が可能となり、半身麻痺のお客様にとっても有効である。なぜなら、浴室ユニットで洗い場から浴槽に入る際、姿勢が不安定になる為、無意識に壁や手すりにつかまって入ることが多く、従来の浴室では、浴槽に入る際の間口が大きい為、左右どちらかの壁しか利用することが出来なかった。また、手すりの取付け位置は風呂蓋フックとの取り合いや浴室の扉との取り合い等による制約が多く、取付けたい場所に設置出来ないこともあった。本発明では、これらの問題を解決することが可能となる。
【００１３】
さらに、上述した本実施形態による浴室ユニットによれば、前記洗い場と前記浴槽が略Ｌ字状に接続されている為、一人が洗い場で洗髪などの行為をしている際に、浴槽に浸かっている使用者が居ても、浴槽に浸かっている使用者の顔に洗い場側から飛散した石けん、シャンプー、水などがかかりにくくなり、複数人が同時に使用しやすくなる。つまり、浴槽に浸かっている使用者が浴槽における洗い場との接続部と対向する辺に頭が来るように使用していれば、洗い場と使用者の顔の位置が離れることになるため飛散した石けんなどが顔にかからない。また、浴槽空間と洗い場空間とを繋ぐ空間部が狭くなるため、洗い場で使用する石けんや水が浴槽内にかかる量が少なくなるため、浴槽内の湯が汚れにくくもなる。
【００１４】
つぎに、本発明の第３実施形態による浴室ユニットについて説明する。
図３は、本実施形態の浴室ユニットの平面図である。図３の１７〜２０は浴室の扉の位置を示している。図３の１７〜２０は、浴室内の出入を行うための扉が、前記洗い場床部における前記浴槽と接続される短辺部とは異なる短辺部、または前記洗い場床部における一対の長辺部のうち、前記浴槽長辺部の中央側に配置される長辺部に取り付けられていることを示している。以上のことが上述した第１実施形態の浴室ユニットと異なっており、その他の構成については、第１実施形態の構成と同一である為、これら同一の構成については説明を省略する。
【００１５】
上述した本実施形態よる浴室ユニットによれば、扉の位置を工夫することにより、脱衣所側からの視線を遮る事が出来、プライバシーを保つ事が可能である。なぜなら、従来の浴室の形態では、浴室のドアを開けた際、脱衣所側から浴槽部分が直に見えてしまっていた。しかし、本発明では、この問題を解決することが可能となる。
【００１６】
つぎに、本発明の第４実施形態による浴室ユニットについて説明する。
図４は、本実施形態の浴室ユニットの平面図である。図４の２１〜２４は浴室の扉の位置を示している。図４の２１〜２４は、浴室内の出入を行うための扉が、前記洗い場床部における前記浴槽と接続される長辺部、または前記洗い場床部における一対の短辺部のうち、前記浴槽が取り付けられる接続部から遠くに離れた側の短辺部に取り付けられている。以上のことが上述した第１実施形態の浴室ユニットと異なっており、その他の構成については、第１実施形態の構成と同一である為、これら同一の構成については説明を省略する。
【００１７】
上述した本実施形態よる浴室ユニットによれば、扉の位置を工夫することにより、脱衣所側からの視線を遮る事が出来、プライバシーを保つ事が可能である。なぜなら、従来の浴室の形態では、浴室のドアを開けた際、脱衣所側から浴槽部分が直に見えてしまっていた。しかし、本発明では、この問題を解決することが可能となる。
【００１８】
つぎに、本発明の第５実施形態による浴室ユニットについて説明する。
図５は、本実施形態の浴室ユニットの平面図である。図５の２５〜２８は浴室乾燥機の位置を示している。図５の２５〜２８は、前記浴槽側の天井もしくは壁面に浴室乾燥機が取り付けられている。また、図５の２９〜３２はロールスクリーンの位置を示している。以上のことが上述した第１実施形態の浴室ユニットと異なっており、その他の構成については、第１実施形態の構成と同一である為、これら同一の構成については説明を省略する。
【００１９】
上述した本実施形態よる浴室ユニットによれば、前記浴槽と前記洗い場が略Ｌ字状に接続されている為、前記浴槽側の天井もしくは壁面に浴室乾燥機が取り付けられていると、効率良く洗濯物を乾かす事が出来、省エネとなる。なぜなら、従来の浴室では、洗濯物を乾かす際、浴室内全ての空間を使用する為、浴室乾燥機の効果が洗濯物に伝わり難かった。しかし、本発明では、この問題を解決することが可能となる。また、図５の２９〜３２の位置にロールスクリーンを設けることで、省エネの効果が高まる。さらに、図５の２９〜３２の位置にロールスクリーンを設けることで、浴槽空間でミストサウナを使用し、洗い場空間では、通常使用という方法も可能となる。
【００２０】
さらに、上述した本実施形態による浴室ユニットによれば、前記浴槽と前記洗い場が略Ｌ字状に接続されている為、、浴室に出入りする際、脱衣所の冷たい空気が浴室内に入り難くなり、浴槽内のお湯が冷め難くなる事によって追炊き回数が減り、省エネとなる。
【００２１】
また、上述した本実施形態による浴室ユニットによれば、前記浴槽と前記洗い場が略Ｌ字状に接続されている為、浴槽空間及び洗い場空間に個々に照明を取り付ける事が可能となり、照明を組み合わせることでより癒し効果を演出出来る。つまり、浴槽空間と洗い場空間を明暗で分ける事が可能となったり、照明の色や強さを変更することで、光による新しい癒し効果を出す事が可能となる。例えば、洗い場空間は洗髪や洗体などの動作を伴うため照明を明るくし、浴槽空間は入浴しながら癒しを求めるために洗い場に比べて照明を暗くしたり、色を変えるなどすることができる。
【００２２】
つぎに、本発明の第６実施形態による浴室ユニットについて説明する。
図６は、本実施形態の浴室ユニットの平面図である。図６の３３、３４は浴室の窓位置を示している。図６の３３、３４の浴室の窓は、前記浴槽における前記洗い場部と接続される短辺部とは異なる短辺部の壁面に取り付けられている。以上のことが上述した第１実施形態の浴室ユニットと異なっており、その他の構成については、第１実施形態の構成と同一である為、これら同一の構成については説明を省略する。
【００２３】
上述した本実施形態よる浴室ユニットによれば、窓の位置を工夫することにより、窓を開けたまま浴室を使用する事が可能となる。本発明では、Ｌ型に浴室が配置されている為、図６の３３もしくは３４の位置に窓が設置された場合、窓の外から直接前記洗い場部が見えない為、窓を開けたまま洗い場部を使用する事が可能となる。自然の外気を取り入れる事で、自然換気出来る為、省エネとなる。
【００２４】
つぎに、本発明の第７実施形態による浴室ユニットについて説明する。
図７は、本実施形態の浴室ユニットの平面図である。図７の３５〜３８は浴室の窓の位置を示している。図７の３５〜３８の浴室の窓は、前記浴槽における前記洗い場部と接続される短辺部とは異なる短辺部の壁面、または前記洗い場床部における前記浴槽と接続される長辺部に取り付けられていることを示している。以上のことが上述した第１実施形態の浴室ユニットと異なっており、その他の構成については、第１実施形態の構成と同一である為、これら同一の構成については説明を省略する。
【００２５】
上述した本実施形態よる浴室ユニットによれば、窓の位置を工夫することにより、窓を開けたまま浴室を使用する事が可能となる。本発明では、Ｌ型に浴室が配置されている為、図７の３５もしくは３７の位置に窓が設置された場合、窓の外から直接前記洗い場部が見えない為、窓を開けたまま洗い場部を使用する事が可能となる。また、図７の３６もしくは３８の位置に窓が設置された場合、窓の外から直接前記浴槽部が見えない為、窓を開けたまま浴槽部を使用する事が可能となる。自然の外気を取り入れる事で、より開放感が増すとともに、自然換気出来る為、省エネとなる。
【００２６】
つぎに、本発明の第８実施形態による浴室ユニットについて説明する。
図８は、本実施形態の浴室ユニットの平面図である。図８の３９〜４２は浴室水栓の位置を示している。図８の３９〜４２の浴室水栓は、前記浴槽における前記洗い場床部との接続部に、水栓本体が取り付けられていることを示している。以上のことが上述した第１実施形態の浴室ユニットと異なっており、その他の構成については、第１実施形態の構成と同一である為、これら同一の構成については説明を省略する
【００２７】
上述した本実施形態よる浴室ユニットによれば、前記浴槽における前記洗い場床部との接続部に、水栓本体を取り付けることにより、一つの水栓で前記浴槽側でも前記洗い場側でも同じ水栓を利用する事が可能となる。
【図面の簡単な説明】
【００２８】
【図１】本発明の第１実施形態による浴室ユニットを示す平面図である。
【図２】本発明の第２実施形態による浴室ユニットを示す平面図である。
【図３】本発明の第３実施形態による浴室ユニットを示す平面図である。
【図４】本発明の第４実施形態による浴室ユニットを示す平面図である。
【図５】本発明の第５実施形態による浴室ユニットを示す平面図である。
【図６】本発明の第６実施形態による浴室ユニットを示す平面図である。
【図７】本発明の第７実施形態による浴室ユニットを示す平面図である。
【図８】本発明の第８実施形態による浴室ユニットを示す平面図である。
【符号の説明】
【００２９】
１，２，３，４  浴槽
５，６，７，８，洗い場床部
９，１０，１１，１２，１３，１４，１５，１６  てすり
１７，１８，１９，２０，２１，２２，２３，２４  扉  
２５，２６，２７，２８  浴室乾燥機
２９，３０，３１，３２  ロールスクリーン
３３，３４，３５，３６，３７，３８  窓
３９，４０，４１，４２  水栓
【図１】
2008255562.tif 000003
【図２】
2008255562.tif 000004
【図３】
2008255562.tif 000005
【図４】
2008255562.tif 000006
【図５】
2008255562.tif 000007
【図６】
2008255562.tif 000008
【図７】
2008255562.tif 000009
【図８】
2008255562.tif 000010